(57)【特許請求の範囲】
【請求項１】
吸収層及び防漏層を具備し、その長手方向が前方部、排泄部対向部及び後方部に区分される実質的に縦長の吸収性物品であって、
前記後方部における前記吸収層の肌当接面側には、複数の溝が設けられており、
複数の前記溝は、それぞれが前方に向って凸の形状を有し、該凸の形状の先端部が、前記吸収性物品における幅方向の中央部を通る仮想線上にほぼ１列に配置されており、
複数の前記溝は、それぞれが前記吸収性物品における長手方向の後方に向って延びる一対の側部を有し、
前記溝は、前方に向かって凸の形状を有する中央部と、該中央部に連続し、それぞれ後方に向かって延びる前記側部とから形成されており、
前記溝の幅は、前記中央部の方が前記側部よりも広く、
前記中央部は、前記溝を前記吸収性物品の幅方向に略３等分した際の中央に区分される領域であり、その該幅方向の中央が、前方に向って尖っており且つ該吸収性物品における幅方向の中央部を通る前記仮想線上にほぼ位置しており、
前記側部は、前記溝を前記吸収性物品の幅方向に略３等分した際の両側それぞれに区分される領域であり、前記中央部から後方に向うにつれて、前記仮想線から離れ頂点を示した後、該仮想線に近づいている吸収性物品。
【請求項２】
前記側部は、前記中央部から後方に向うにつれて、前記仮想線から離れ頂点を示した後、前記仮想線に近づき屈曲した後、該仮想線から離れている請求項１記載の吸収性物品。
【請求項３】
前記溝の頂点において前記吸収性物品を幅方向に跨ぐような折り線で折り畳まれている請求項１又は２に記載の吸収性物品。
【発明の詳細な説明】
【技術分野】
【０００１】
本発明は、吸収性物品、特に生理用ナプキン、失禁パッド等の吸収性物品に関する。
【背景技術】
【０００２】
従来、着用者の排泄部からヒップ部までに亘って当接する生理用ナプキン等の吸収性物品が知られている。この種の吸収性物品は、排泄される体液の量が多い場合や、夜間等の使用時間が長い場合に用いられている。特に、夜間の就寝時の使用においては、着用者の排泄部から排泄された比較的粘性の高い体液が、着用者の肌を伝ってヒップ部にまで広がり、吸収性物品の後方部において伝いモレが発生し易い。
この伝いモレの発生原因としては、着用者の身体の複雑な凹凸形状に吸収性物品が密着できず、吸収性物品と着用者の肌との間にスキマ（空間）が形成され、このスキマを体液が伝いながら移動することが考えられる。
例えば、横漏れ及び後ろ漏れを防止することを目的とした吸収性物品が開示されている（特許文献１）。
【０００３】
本出願人は先に特許文献１において、装着時に装着者の体液排泄部に当接される排泄部当接部の肌当接面に、長手方向に沿って形成された一対の前方溝を有しており、装着時に装着者の後ろ側に当接される後方部の肌当接面に、幅方向に沿って形成された溝を有しており、溝の最後方部と吸収部の後端との距離は１０〜５０ｍｍとなっており、一対の前方溝の生理用ナプキンの幅方向における最内側部どうしの距離は、溝の生理用ナプキンの幅方向における最外側部間の距離よりも短くなっている吸収性物品を提案している。
【０００４】
また、装着時にフィット性に優れた所定の形状となり、漏れ防止性に優れた吸収性物品が開示されている（特許文献２）。
【０００５】
本出願人は先に特許文献２において、液透過性の肌当接面と、液不透過性の非肌当接面と、該肌当接面及び該非肌当接面の間に介在された吸収部とを備え、実質的に縦長に形成されて、長手方向の中央部から装着時に装着者の後ろ側に配置される後方部にかけて、該後方部の端縁に近づくに従い該後方部の側縁に近接する立体溝が形成されており、該立体溝は、端縁及び側縁から離間して配置されている吸収性物品を提案している。
【０００６】
【特許文献１】特開平１０−１５５８３２号公報
【特許文献２】特開平１０−２０１７８８号公報
【発明の開示】
【発明が解決しようとする課題】
【０００７】
特許文献１記載の吸収性物品は、横漏れおよび後ろ漏れを防止することを目的とした構成を有しており、前述した吸収性物品の後方部における伝いモレをある程度防止するものと考えられる。しかし、身体の複雑な凹凸形状に吸収性物品が密着するという観点からは、更なる改良が期待される面がある。
【０００８】
特許文献２記載の吸収性物品は、立体溝を有しており、ヒップ部の凹凸部に対する密着性をある程度有しているものと考えられる。しかし、前述したのと同様に、身体の複雑な凹凸形状に吸収性物品が密着するという観点からは、更なる改良が期待される面がある。
【０００９】
従って、本発明の目的は、吸収性物品の後方部における伝いモレを防止する観点から、前述した従来技術を更に改良した吸収性物品を提供することにある。
【課題を解決するための手段】
【００１０】
本発明は、吸収層及び防漏層を具備し、その長手方向が前方部、排泄部対向部及び後方部に区分される実質的に縦長の吸収性物品であって、前記後方部における前記吸収層の肌当接面側には、複数の溝が設けられており、複数の該溝は、それぞれが前方に向って凸の形状を有し、該凸の形状の先端部が、前記吸収性物品における幅方向の中央部を通る仮想線上にほぼ１列に配置されており、複数の前記溝は、それぞれが前記吸収性物品における長手方向の後方に向って延びる一対の側部を有している吸収性物品を提供することにより、上記目的を達成したものである。
【発明の効果】
【００１１】
本発明の吸収性物品によれば、着用時に、着用者の身体の複雑な凹凸形状に密着することにより、後方部における伝いモレを防止する。
【発明を実施するための最良の形態】
【００１２】
以下、本発明の吸収性物品の好ましい一実施形態について、図１〜図６を参照しながら説明する。
【００１３】
本実施形態の吸収性物品は、生理用ナプキン１であり、図１〜図４に示すように、液保持性の吸収層１０及び液不透過性の防漏層１１を具備し、実質的に縦長である。ナプキン１における吸収層１０は、液透過性の表面シート２及び液保持性の吸収体４とからなり、防漏層１１は、液不透過性の裏面シート３からなる。ナプキン１は、その長手方向が前方部Ａ、長手方向中央領域である排泄部対向部Ｂ（着用者の液排泄部に対向配置される排泄部対向領域を幅方向中央に有する部分）及び後方部Ｃに区分される。
また、本実施形態のナプキン１において、後方部Ｃにおける吸収層１０の肌当接面側には、図２に示すように、２つの溝８ａ，８ｂが設けられており、２つの溝８ａ，８ｂは、それぞれが前方に向って凸の形状を有し、該凸の形状の先端部が、ナプキン１における幅方向の中央部を通る仮想線上にほぼ１列に配置されており、２つの溝８ａ，８ｂは、それぞれ、ナプキン１における長手方向の後方に向って延びる一対の側部を有している。
本実施形態において、ナプキン１における幅方向の中央部を通る仮想線は、ナプキン１の縦中心線ＣＬである。
【００１４】
本実施形態のナプキン１について、更に説明すると、表面シート２及び裏面シート３それぞれの平面視形状は、図２に示すように、縦長であり、その長手方向がナプキン１の長手方向と一致している。表面シート２の長手方向の両側部それぞれは、図４に示すように、吸収体４の両側縁から延出し、該吸収体４と後述する防漏壁５との間に巻き下げられ、該防漏壁５と接合されている。
【００１５】
吸収体４は、図４（ａ）及び（ｂ）に示すように、表面シート２と裏面シート３との間に挟持されている。吸収体４は、図４（ａ）に示すように、上部吸収体４１及び下部吸収体４２からなる２層構造を有している。下部吸収体４２は、縦長であり、その長手方向がナプキン１と一致している。下部吸収体４２の平面視形状は、表面シート２と略同形である。本実施形態において、上部吸収体４１は、排泄部対向部Ｂにのみ配設されており、いわゆる中高領域を形成している。
【００１６】
裏面シート３は、吸収体４の非肌当接面側の全域（巻き込まれた表面シート２を含む）を被覆し、吸収体４の長手方向両側縁からそれぞれ幅方向外方に延出してサイドフラップ７１を形成している。サイドフラップ７１は、図２に示すように、生理用ナプキン１の排泄部対向部Ｂの位置において更に幅方向外方へ延出しており一対のウイング部７，７を形成している。ウイング部７は、着用時に、折り曲げられてショーツ等の下着の外表面に粘着剤等により固定されるものである。
【００１７】
表面シート２及び裏面シート３は、それぞれ吸収体４の長手方向前後端からそれぞれ延出し、その延出部分において互いにヒートシール等の公知の接合方法により接合されている。
【００１８】
本実施形態のナプキン１の後方部Ｃには、吸収層１０の肌当接面側に、図２に示すように、前側の溝８ａと後側の溝８ｂとが、前後に位置をずらして設けられている。前側の溝８ａと後側の溝８ｂとは、同様に形成されているので、以下、前側の溝８ａを例にとって説明する。
【００１９】
前側の溝８ａは、図３（ａ）に示すように、前方に向かって凸の形状を有する中央部８１ａと、該中央部８１ａに連続し、それぞれ後方に向かって延びる側部８２ａとから形成されている。詳述すると、溝８ａは、該溝８ａをナプキン幅方向に略３等分した際の中央に区分される領域である中央部８１ａと、該溝８ａをナプキン幅方向に略３等分した際の両側それぞれに区分される領域である一対の側部８２ａ、８２ａとから形成されている。
溝８ａは、ヒートシール加工によるエンボスにより形成されており、表面シート２と下部吸収体４２とを接合している。
【００２０】
中央部８１ａは、図２に示すように、そのナプキン幅方向の中央が、前方に向って尖っており且つナプキン１の縦中心線ＣＬ上にほぼ位置している。
一対の側部８２ａ、８２ａそれぞれは、図２に示すように、中央部８１ａから後方に向うにつれて、ナプキン幅方向外方に凸に湾曲しながら縦中心線ＣＬから離れ、頂点８３ａを示した後、ナプキン幅方向外方に凸に湾曲しながら縦中心線ＣＬに近づいている。本実施形態においては、一対の側部８２ａ、８２ａそれぞれは、中央部８１ａから後方に向うにつれて、前述したように縦中心線ＣＬに近づき屈曲した後、更にナプキン幅方向外方に凸に湾曲しながら縦中心線ＣＬから離れている。
本実施形態において、側部８２ａの後端は細くなっていて、後方に向って尖った形状を有している。
【００２１】
本明細書において、特に断らない限りは、溝８ａの前方はナプキン１の前方を意味し、溝８ａの後方はナプキン１の後方を意味し、また、溝８の長手方向はナプキン１の長手方向を意味し、溝８の幅方向はナプキン１の幅方向を意味する。
【００２２】
溝８ａは、その全体の形状が、図２に示すように、まず、前側がナプキン前方に向って尖っており、ナプキン後方に向うにつれて、ナプキン幅方向外方に向って凸に湾曲し、ナプキン幅方向内方に括れた後、ナプキン幅方向外方に向って凸に湾曲しながら開いている。
前述したような形状を有する溝８ａの内側に位置する下部吸収体４２の部分は、後方を除いて、その周囲が溝８ａにより囲まれており、その面形状が安定している。
【００２３】
溝８ａにおいて、一対の側部８２ａ、８２ａそれぞれの頂点８３における内側縁間を、ナプキン幅方向に測定した長さＷ２（図２参照）は、一対の側部８２ａ、８２ａがナプキン幅方向内方に括れている部分それぞれの内側縁間を、ナプキン幅方向に測定した長さＷ１（図２参照）よりも大きくなっている。
具体的には、長さＷ２は、長さＷ１に対して、１２０〜２５０％、特に１３０〜２００％であることが、詳しくは後述するが、ナプキン着用時に、溝８ａの内側の部分が着用者の肌に向って隆起する上で好ましい。また、一対の側部８２ａ、８２ａがナプキン幅方向内方に括れている部分と、中央部８１ａにおける前方に向かって尖った頂点との間を、ナプキン長手方向に測定した長さＷ３（図２参照）が、長さＷ１に対して、５０〜９５％、特に６０〜８０％であることが、同様の理由から好ましい。
【００２４】
また、溝８ａの幅は、中央部８１ａの方が側部８２ａよりも広くなっていることが、ナプキン１を着用した際、ナプキン１が中央部８１ａを可撓軸として、ナプキン長手方向に容易に折れ曲がる上で好ましい。仮に、側部８２ａの幅の方が、中央部８１ａよりも広くなっていると、ナプキン着用時に、ナプキン１が側部８２ａを可撓軸として、ナプキン幅方向にも折れ曲がり、着用者の肌とナプキン１との間に隙間が生じるおそれがある。
【００２５】
詳述すると、溝８ａにおける中央部８１ａの幅は、該中央部８１ａの両側縁間の長さを以下のように測定したものである。まず、一方の側縁上のある点において接線を引き、該接線と直交する方向に沿って、該点と他方の側縁との間の長さを測定して、該長さを中央部８１ａの幅とする。中央部８１ａの幅は、１．５〜１０．０ｍｍ、特に６．０〜８．０ｍｍであることが好ましい。中央部８１ａの幅が、１．５ｍｍ以上であることが、ナプキン１が、着用時に中央部８１ａを可撓軸として、長手方向に容易に且つ十分に折れ曲がる上で好ましい。一方、中央部８１ａの幅が、１０．０ｍｍ以下であることが、詳しくは後述するが、ナプキン１が中央部８１ａで折り曲がった際に、該中央部８１ａの部分に、該溝を隔てた前後の吸収体同士間に隙間を生じさせない上で好ましい。
中央部８１ａの幅が、一定ではない場合には、最小の値とする。
【００２６】
また、溝８ａにおける側部８２ａの幅も、前述した中央部８１ａの幅と同様に測定される。側部８２ａの幅が、一定ではない場合には、最大の値とする。
【００２７】
尚、溝８ａの幅は、該溝８ａのみを対象とした場合の幅であって、ナプキン１の幅方向とは必ずしも一致しない。
【００２８】
後側の溝８ｂは、中央部８１ｂと一対の側部８２ｂ、８２ｂとから形成されており、前述した前側の溝８ａと同様に形成されている。
【００２９】
前側の溝８ａは、排泄部対向部Ｂよりも後方に位置する後方部Ｃに設けられている。詳述すると、溝８ａの前端が、排泄ポイントＸ（図２参照）から後方に４０〜１００ｍｍ、特に５０〜８０ｍｍの位置となるように、溝８ａを設けることが好ましい。排泄ポイントＸは、排泄部対向部Ｂの幅方向且つ長手方向の中央部であり、ナプキン１において体液の排泄を受ける中心的部位である。
【００３０】
本実施形態において、排泄ポイントＸは、ウイングセンターでもある。ウイングセンターは、一対のウイング部７，７それぞれの長手方向の中央同士を結んだ線と、ナプキン１の縦中心線ＣＬとの交点である。例えば、一対のウイング部を有するナプキンを、ショーツに装着する際、該ショーツのクロッチ部において、その幅が最も狭くなった部分に形成されている布地の繋ぎ目と、該ナプキンのウイングセンターとを一致させて、ナプキンをショーツに装着すると、前述したように、排泄ポイントＸとウイングセンターとが一致する。
【００３１】
本実施形態のナプキン１について、更に説明すると、図２に示すように、前方溝９が、排泄部対向部Ｂに、前方部Ａから後方部Ｃに亘って設けられている。前方溝９は、図３（ｂ）に示すように、前方に向って凸の形状を有する中央部９１と、該中央部に連続し、それぞれ後方に向って延びる一対の側部９２，９２とから形成されている。中央部９１の形状は、溝８ａの中央部８１ａと同様である。
前方溝９における一対の側部９２，９２それぞれは、幅方向外方に凸に湾曲している部分が長手方向に３つ連なって形成されている。長手方向の前方に位置する前記部分は、中央部９１から後方に向って延びている。長手方向の真ん中に位置する前記部分は、他の２つの部分よりも長手方向に長く形成されている。長手方向の後方に位置する前記部分は、幅方向外方に向って凸に湾曲しながら開いている。
ウイングセンターＸは、長手方向の真ん中に位置する前記部分の中央部分に位置している。
【００３２】
前方溝９は、ヒートシール加工によるエンボスにより形成されており、表面シート２と下部吸収体４２とを接合している。
また、前述した上部吸収体４１は、前方溝９の長手方向の中央領域で、図４（ａ）に示すように、該前方溝９の内側に配設されている。
【００３３】
前述したように、前方溝９における両側部９２，９２それぞれの後端は、左右に開き、それぞれナプキン幅方向外方に延びている。前側の溝８ａは、図２に示すように、前方溝９に対して、その一部分が、前方溝９における両側部９２，９２それぞれの後端の間に位置するように配されている。
また、後側の溝８ｂは、図２に示すように、前側の溝８ａのすぐ後ろに配されている。
【００３４】
本実施形態のナプキン１において、吸収体４の幅方向外方それぞれには、図２に示すように、長手方向に沿って一対の防漏壁５，５が配設されている。防漏壁５は、ナプキン１の前後端部間に亘って配されている。
【００３５】
防漏壁５は、吸収体４の側面４３の近傍から起立した基壁部５１と、その上端部５４に連設された面状の弾性伸縮部５２とからなる。弾性伸縮部５２には、ナプキン１の長手方向に沿って弾性部材５６（５６ａ，５６ｂ）が配されて弾性伸縮性が付与されている。
防漏壁５は、吸収体４の側面４３に沿って配設されており、弾性伸縮部５２の上面（肌当接面側）は、吸収体４の上面（肌当接面側）と略平行である。弾性伸縮部５２は、少なくとも排泄部対向部Ｂにおいて着用者の肌に面状に当接するようになっている。
【００３６】
弾性伸縮部５２は、基壁部５１の上端部５４に断面Ｔ字状に連設されている。即ち、弾性伸縮部５２は、基壁部５１の上端部５４からナプキン幅方向内方に張り出す内方張出部５２ａと、基壁部５１の上端部５４からナプキン幅方向外方に張り出す外方張出部５２ｂとから構成されている。
両張出部５２ａ，５２ｂの張り出し幅は異なっており、内方張出部５２ａの張り出し幅と外方張出部５２ｂの張り出し幅の比（前者：後者）は、好ましくは３：２〜５：１である。内方張出部５２ａ及び外方張出部５２ｂには、それぞれ糸状の内方弾性部材５６ａが４本，外方弾性部材５６ｂが２本（図４においてはそれぞれ１本のみ図示）、幅方向に間隔をあけて配設されている。弾性部材５６は、少なくともナプキン１の排泄部対向部Ｂに配されている。
【００３７】
防漏壁５は、排泄部対向部Ｂにおいては起立しており、且つ前方部Ａにおける前端側及び後方部Ｃにおける後端側においては、少なくとも弾性伸縮部５２の幅方向内側（内方張出部５２ａ）が表面シート２に部分的に固定されることで起立が阻害されている（起立していない）。弾性伸縮部５２は、表面シート２の肌当接面側に、長手方向前側においては前シール部７４により、長手方向後側においては後シール部７５により接合されている。そのため、弾性伸縮部５２の収縮によって、ナプキン１は、その長手方向の全体形状が、図１に示すように凹状に湾曲する。
【００３８】
本実施形態における防漏壁５は、防漏壁形成用シート５３を、ナプキン１の他の構成部材（表面シート２や裏面シート３等）に固定して形成されている。防漏壁形成用シート５３は、長手方向に亘って一定の幅を有するシートで、基壁部５１の上端部５４と弾性伸縮部５２とが断面Ｔ字状に連設された形状が形成されるように、折り返されている。従って、防漏壁形成用シート５３は、基壁部５１及び弾性伸縮部５２において２層となっている。尚、防漏壁形成用シート５３の幅とは、単体状態の防漏壁形成用シート５３の幅であって、吸収性物品の幅方向とは必ずしも一致しない。
【００３９】
本実施形態のナプキン１を構成する部材について説明すると、吸収体４を形成している上部吸収体４１及び下部吸収体４２それぞれの形成材料としては、従来の吸収性物品等において用いられている各種のパルプ材料を用いることができるが、特に針葉樹パルプ、化学処理された合成パルプ、セルローストウのような長繊維が好ましい。また、吸収体４の形成材料として、パルプ材料の他に、高分子吸収ポリマー、ポリエステルやポリプロピレン製の合成繊維、熱融着性繊維、レーヨンを用いることもできる。吸収体４の形成材料として、パルプ材料及びその他の前記材料を混合して用いることも好ましい。
また、上部吸収体４１及び下部吸収体４２それぞれは、台紙等でくるまれて一体的になっているか又は合成繊維を混合して一体性が高められていることが好ましい。
【００４０】
ナプキン１におけるその他の構成部材については、従来の吸収性物品において用いられている各形成材料を好ましく用いることができる。
【００４１】
前述した構成を有する本実施形態のナプキン１は、着用時に、着用者の身体の複雑な凹凸形状に密着することにより、後方部における伝いモレを防止するものである。具体的な手段として、ナプキン１は、（１）着用者のヒップ部の湾曲形状に追従するように、ナプキン長手方向に湾曲する。（２）着用者のヒップ部の凹な形状に追従するように、肌当接面側が着用者の肌に向って隆起する。
以下に、その機構を、図５及び図６を参照しながら説明する。尚、図５及び図６において、説明を分かり易くするため、ナプキン１として吸収体４のみを示している。
【００４２】
前記（１）の機構について
本実施形態のナプキン１の着用状態において、ナプキン１の長手方向の形状は、図５に示すように、前方部Ａは、着用者の肌へ向って凹に湾曲し、排泄部対向部Ｂは比較的平坦であり、後方部Ｃは、着用者の肌へ向って大きく凹に湾曲している。ナプキン１の後方部Ｃにおいて、溝８ａ、８ｂの中央部８１ａ、８１ｂが可撓軸となって容易に折れ曲がり、ナプキン１は、その長手方向において、着用者の肌へ向って凹に湾曲している。その結果、ナプキン１は、着用者のヒップ部の湾曲した身体形状に密着する。
【００４３】
この時、後方部Ｃの前側の溝８ａにおいて、中央部８１ａのすぐ後側に位置する下部吸収体４２の部分Ｐは、図５に示すように、中央部８１ａと共に、前方下側に向って沈みこんでいる。中央部８１ａは、剛性が高い溝となっており、ナプキン着用時に、前方下側に向って沈みこみ易くなっている。また、本実施形態では、前方溝９の後端が左右に開いて広がっているため、中央部８１ａ及び前記部分Ｐが前方下側に向って一層沈みこみ易くなっている。
【００４４】
前記部分Ｐが前方下側に向って沈みこむと、該部分Ｐは、中央部８１ａのすぐ前側に位置する下部吸収体４２の部分Ｑと当接し、中央部８１ａが前記部分Ｐ，Ｑにより覆われる。従って、ナプキン１の肌当接面側には、少なくともナプキン幅方向の中央部において、ナプキン長手方向に隙間のない連続した吸収面が形成される。
【００４５】
ここで、中央部８１ａの幅の前述した上限値は、前記部分Ｐ、Ｑの厚みとの関係から設定されることが好ましい。一般に、生理用ナプキンにおける吸収体の厚みは、１．５〜７．０ｍｍであることから、中央部８１ａの幅の上限値を、前述したように設定した。
【００４６】
また、後側の溝８ｂにおける中央部８１ｂも、図５に示すように、前側の溝８ａと同様に、前方下側に沈みこんでいる。
【００４７】
前記（２）の機構について
本実施形態のナプキン１の着用状態において、着用者の股下部における排泄部対向部Ｂにおける前方溝９の内側の部分は、着用者の両太ももの付け根内側により左右からナプキン幅方向内方へ圧縮力を受け、その幅方向の断面形状が、着用者の肌へ向って凸に湾曲した形状を有している。このように、ナプキン１の排泄部対向部Ｂが、前記凸に湾曲する影響により、後方部Ｃにおける前側の溝８ａは、溝８ａの内側の部分が、図６に示すように、着用者の肌に向って隆起し、ヒップ部の凹な形状に密着する。
【００４８】
詳述すると、前方が尖っていて且つ後方がナプキン幅方向内方に括れている溝８ａの内側の部分は、着用者の肌に向って隆起し、着用者のヒップ部における凹に湾曲した身体形状に密着する。一対の側部８２ａ、８２ａそれぞれのナプキン幅方向最外方に位置する頂点８３が、ナプキン１の排泄部対向部Ｂが前記凸に湾曲することによる幅方向内側に向う圧縮力をいち早く受け止め、該圧縮力を、一対の側部８２ａ、８２ａのナプキン長手方向全体に亘って伝え、溝８ａの内側の部分の隆起を引き起こす。
【００４９】
また、ナプキン１の排泄部対向部Ｂが前記凸に湾曲することは、中央部８１ａ及び前記部分Ｐが、前方下側に更に沈みこみ易くしている。
【００５０】
後側の溝８ｂの内側の部分も、前側の溝８ａと同様に、着用者の肌に向って隆起する。この場合、溝８ｂの内側の部分の隆起は、前側の溝８ａの内側の部分が隆起することにより生ずる幅方向内側に向う圧縮力による。
【００５１】
本実施形態のナプキン１によれば、前述したように、溝８ａ、８ｂの中央部８１ａ、８１ｂにおいてナプキン長手方向に容易に折れ曲がり且つ溝８ａ、８ｂ内側の部分が隆起するので、ナプキン１の肌当接面と着用者の肌とは、隙間なく密着し、後方部Ｃにおける伝いモレが防止される。
【００５２】
本実施形態のナプキン１は、その個装状態において、溝８の頂点８３においてナプキン１を幅方向に跨ぐような折り線で折り畳まれていることが好ましい。
更に説明すると、個装のために、ナプキン１を折り畳むと、折り線の部分で、ナプキン１の肌当接面にしわが生じる。例えば、ナプキン１が、その個装状態において長手方向に三つ折りされている場合には、ナプキン１を使用するために、その個装状態を開封し長手方向に広げた状態では、ナプキン長手方向の２箇所に、ナプキン幅方向に亘るしわが生ずる。このようなナプキン幅方向に跨ぐしわは、横漏れの原因となり得る観点から好ましくない。
【００５３】
そこで、ナプキン１を個装のために三つ折りする際には、一方の折り線は、溝８ｂの側部８２ｂにおける頂点８３ｂにおいて、ナプキン１を幅方向に跨ぐように形成し、ナプキン１を折り畳むことが好ましい。溝８ｂをナプキン幅方向に跨ぐしわが生ずるが、ナプキン１を着用すると、溝８ｂの内側の部分は、前述したように、着用者の肌に向って隆起するので、個装状態により生じたしわが消失するようになされる。
他方の折り線は、前方溝９におけるウイングセンターＸにおいて、ナプキン１を幅方向に跨ぐように形成し、ナプキン１を折り畳むことが好ましい。ウイングセンターＸの部分のしわは、溝８ｂのしわと同様に、ナプキン１を着用すると、ウイングセンターＸを含む前方溝９の内側が、着用者の肌に向って隆起するので、個装状態により生じたしわが消失するようになされる。
【００５４】
次に前述した実施形態の変形例を、図７を参照しながら説明する。変形例について、特に説明しない点については、前述した実施形態に関して詳述した説明が適宜適用される。また、図７において、図１〜図６と同じ部材に同じ符号を付してある。
【００５５】
変形例のナプキン１は、図７（ａ）及び（ｂ）に示すように、上部吸収体４１が、前側の溝８ａの内側にも配されている。そのため、ナプキン着用時には、着用者の肌に向って隆起した溝８ａの内側の部分が、着用者のヒップ部の凹に湾曲した身体形状に、一層密着するので、伝いモレ防止性が一層高められている。
その他の構成は、前述した本実施形態と同様である。
【００５６】
本発明の吸収性物品は、前述した実施形態に制限されることなく、本発明の趣旨を逸脱しない限り適宜変更が可能である。
例えば、本発明の吸収性物品としてのナプキン１は、溝８を３個以上の有していても良い。また、溝８は、中央部８１を有せずに、一対の側部８２，８２のみから形成されていても良い。例えば、先端部が前方を向く「Ｖ」の字の形状を有する溝が挙げられる。
また、溝８ａ、８ｂの前端縁に沿うように、該溝８ａ、８ｂの前後に位置する下部吸収体４２がナプキン幅方向に、切断されていても良い。また、溝８は、図８（ａ）又は（ｂ）に示すような形状を有していても良い。
【００５７】
また、本発明の吸収性物品は、生理用ナプキンであっても良いが、失禁パッド等であっても良い。
前述した一の実施形態のみが有する部分は、すべて適宜相互に利用できる。
【図面の簡単な説明】
【００５８】
【図１】図１は、本発明の吸収性物品の一実施形態を示す斜視図である。
【図２】図２は、図１の吸収性物品の平面図である。
【図３】図３（ａ）及び（ｂ）は、それぞれ、図２の溝及び前方溝を示す平面図である。
【図４】図４（ａ）及び（ｂ）は、図２の実施形態を示す拡大断面図であり、（ａ）はＸ−Ｘ線断面図であり、（ｂ）はＹ−Ｙ線断面図である。
【図５】図５は、図１の吸収性物品の着用状態を示す図２のＺ−Ｚ線断面図である。
【図６】図６は、図１の吸収性物品の着用状態を示す斜視図である。
【図７】図７（ａ）及び（ｂ）は、本発明の吸収性物品の変形例を示しており、（ａ）は図２に相当する平面図であり、（ｂ）は図４（ｂ）に相当する断面図である。
【図８】図８（ａ）及び（ｂ）は、本発明の吸収性物品の更に他の実施形態を示す平面図であり、それぞれ、異なる溝の形態を有している。
【符号の説明】
【００５９】
１        生理用ナプキン（吸収性物品）
１０    吸収層
１１    防漏層
２        表面シート
３        裏面シート
４        吸収体
４１    上部吸収体
４２    下部吸収体
５        防漏壁
５１    基壁部
５２    弾性伸縮部
７        ウイング部
８        溝
８１    中央部
８２    側部
８３    頂点
９        前方溝
９１    中央部
９２    側部
Ａ        前方部
Ｂ        排泄部対向部
Ｃ        後方部
ＣＬ        縦中心線（吸収性物品における幅方向の中央部を通る仮想線）
【図１】
0004836639.tif 000002
【図２】
0004836639.tif 000003
【図３】
0004836639.tif 000004
【図４】
0004836639.tif 000005
【図５】
0004836639.tif 000006
【図６】
0004836639.tif 000007
【図７】
0004836639.tif 000008
【図８】
0004836639.tif 000009